(57)【要約】【課題】ユーザによる煩雑な操作を要することなく、表示対象の画像を適切な状態で表示することを目的とする。【解決手段】表示対象となる画像に、画像に対して行うべき画像処理に関する処理情報が対応付けられている場合に、画像処理前の画像を表示した後、処理情報に対応する画像処理後の画像を表示する表示手段を有することを特徴とする。【選択図】図３
2015210491.tif 000002
【特許請求の範囲】
【請求項１】
表示対象となる画像に、前記画像に対して行うべき画像処理に関する処理情報が対応付けられている場合に、画像処理前の前記画像を表示した後、前記処理情報に対応する画像処理後の前記画像を表示する表示手段を有することを特徴とする画像表示システム。
【請求項２】
前記処理情報に基づいて、前記画像に対して、画像処理を行う画像処理手段をさらに有し、
前記表示手段は、前記画像処理手段による画像処理後の前記画像を表示することを特徴とする請求項１に記載の画像表示システム。
【請求項３】
表示対象となる画像は縮小画像であって、
一覧表示された複数の縮小画像の中から、前記表示対象となる縮小画像の選択指示を受け付ける受付手段をさらに有し、
前記表示手段は、前記選択指示に係る前記縮小画像に、前記処理情報が対応付けられている場合に、画像処理前の前記縮小画像を拡大表示した後、前記処理情報に対応する画像処理後の前記縮小画像を拡大表示することを特徴とする請求項１又は２に記載の画像表示システム。
【請求項４】
連続して表示すべき複数の画像を含む画像群に、前記画像群に属する少なくとも１つの画像に対して行うべき画像処理に関する処理情報が対応付けられている場合に、前記画像群に属する第１の画像を、画像処理の行なわれていない状態で表示した後、画像処理を行うべき、前記第１の画像と異なる第２の画像を、画像処理後の状態で表示する表示手段を有することを特徴とする画像表示システム。
【請求項５】
前記処理情報に基づいて、前記第２の画像に対して画像処理を行う画像処理手段をさらに有し、
前記表示手段は、前記第１の画像処理手段による画像処理後の前記第２の画像を表示することを特徴とする請求項４に記載の画像表示システム。
【請求項６】
前記画像処理手段は、前記画像群に属する前記複数の画像の表示順に基づいて、前記第１の画像から画像処理後の前記第２の画像まで表示内容が徐々に変化するように、前記第１の画像と前記第２の画像の間の表示順の画像に対し画像処理を行い、
前記表示手段は、前記第１の画像を表示した後、前記画像処理手段による画像処理後の、前記第１の画像と前記第２の画像の間の表示順の前記画像を表示し、その後、前記画像処理手段による、前記処理情報に対応する画像処理後の前記第２の画像を表示することを特徴とする請求項５に記載の画像表示システム。
【請求項７】
前記画像処理手段は、前記処理情報が、前記第２の画像に対して行うべき第１の画像処理に関する情報と、前記第２の画像よりも後の表示順の第３の画像に対して行うべき、前記第１の画像処理と異なる第２の画像処理に関する情報とを含む場合に、第１の画像処理後の前記第２の画像から、第２の画像処理後の前記第３の画像まで表示内容が徐々に変化するように、前記第２の画像と前記第３の画像の間の表示順の画像に対し、第１の画像処理及び前記第２の画像処理と異なる第３の画像処理を行い、
前記表示手段は、第１の画像処理後の前記第２の画像を表示した後、前記画像処理手段による画像処理後の、前記第２の画像と前記第３の画像の間の表示順の画像を順に表示し、その後、第２の画像処理後の前記第３の画像を表示することを特徴とする請求項５又は６に記載の画像表示システム。
【請求項８】
前記処理情報が、前記第２の画像に対して行うべき第１の画像処理に関する情報と、前記第２の画像よりも後の表示順の第３の画像に対して行うべき第２の画像処理に関する情報とを含む場合に、前記処理情報に基づいて、前記第２の画像及び前記第３の画像に対して行う画像処理を決定する決定手段をさらに有し、
前記画像処理手段は、前記第２の画像及び前記第３の画像に対し、前記決定手段により決定された画像処理を行い、
前記表示手段は、前記画像処理手段による画像処理後の前記第２の画像を表示した後、前記画像処理手段による画像処理後の前記第３の画像を表示することを特徴とする請求項５又は６に記載の画像表示システム。
【請求項９】
前記処理情報が、前記画像群に属する２以上の画像それぞれに行うべき画像処理に関する情報を含む場合に、前記処理情報に基づいて、前記画像群を複数の画像群に分割する分割手段をさらに有することを特徴とする請求項４乃至８何れか１項に記載の画像表示システム。
【請求項１０】
前記処理情報は、前記画像の一部の拡大画像を生成する画像処理に関する情報であることを特徴とする請求項１乃至９何れか１項に記載の画像表示システム。
【請求項１１】
前記画像に対し画像処理の実行指示を受け付ける第１の受付手段と、
前記実行指示に示される画像処理に関する前記処理情報を、前記画像に対して対応付けて記憶手段に記録する処理情報管理手段と
をさらに有し、
前記表示手段は、前記記憶手段に記憶されている前記処理情報に対応する画像処理後の前記画像を表示することを特徴とする請求項１乃至１０何れか１項に記載の画像表示システム。
【請求項１２】
前記表示手段は、画像処理前の前記画像を表示した後、一定時間経過後に、画像処理後の前記画像を表示することを特徴とする請求項１乃至１１何れか１項に記載の画像表示システム。
【請求項１３】
切替指示を受け付ける第２の受付手段をさらに有し、
前記表示手段は、画像処理前の前記画像を表示した後、前記切替指示を受け付けたタイミングにおいて、画像処理後の前記画像を表示することを特徴とする請求項１乃至１１何れか１項に記載の画像表示システム。
【請求項１４】
表示対象となる画像に、前記画像に対して行うべき画像処理に関する処理情報が対応付けられている場合に、画像処理前の前記画像を表示した後、前記処理情報に対応する画像処理後の前記画像を表示する表示手段を有することを特徴とする画像表示装置。
【請求項１５】
連続して表示すべき複数の画像を含む画像群に、前記画像群に属する少なくとも１つの画像に対して行うべき画像処理に関する処理情報が対応付けられている場合に、前記画像群に属する第１の画像を、画像処理の行なわれていない状態で表示した後、画像処理を行うべき、前記第１の画像と異なる第２の画像を、画像処理後の状態で表示する表示手段を有することを特徴とする画像表示装置。
【請求項１６】
画像表示システムが実行する画像表示方法であって、
表示対象となる画像に、前記画像に対して行うべき画像処理に関する処理情報が対応付けられている場合に、画像処理前の前記画像を表示する第１の表示ステップと、
前記第１の表示ステップにおいて、画像処理前の前記画像を表示した後、前記処理情報に対応する画像処理後の前記画像を表示する第２の表示ステップと
を含むことを特徴とする画像表示方法。
【請求項１７】
画像表示システムが実行する画像表示方法であって、
連続して表示すべき複数の画像を含む画像群に、前記画像群に属する少なくとも１つの画像に対して行うべき画像処理に関する処理情報が対応付けられている場合に、前記画像群に属する第１の画像を、画像処理の行なわれていない状態で表示する第１の表示ステップと、
前記第１の表示ステップにおいて前記第１の画像を表示した後、画像処理を行うべき、前記第１の画像と異なる第２の画像を、画像処理後の状態で表示する第２の表示ステップと
を含むことを特徴とする画像表示方法。
【請求項１８】
画像表示装置が実行する画像表示方法であって、
表示対象となる画像に、前記画像に対して行うべき画像処理に関する処理情報が対応付けられている場合に、画像処理前の前記画像を表示する第１の表示ステップと、
前記第１の表示ステップにおいて、画像処理前の前記画像を表示した後、前記処理情報に対応する画像処理後の前記画像を表示する第２の表示ステップと
を含むことを特徴とする画像表示方法。
【請求項１９】
画像表示装置が実行する画像表示方法であって、
連続して表示すべき複数の画像を含む画像群に、前記画像群に属する少なくとも１つの画像に対して行うべき画像処理に関する処理情報が対応付けられている場合に、前記画像群に属する第１の画像を、画像処理の行なわれていない状態で表示する第１の表示ステップと、
前記第１の表示ステップにおいて前記第１の画像を表示した後、画像処理を行うべき、前記第１の画像と異なる第２の画像を、画像処理後の状態で表示する第２の表示ステップと
を含むことを特徴とする画像表示方法。
【請求項２０】
コンピュータを、
表示対象となる画像に、前記画像に対して行うべき画像処理に関する処理情報が対応付けられている場合に、画像処理前の前記画像を表示した後、前記処理情報に対応する画像処理後の前記画像を表示する表示手段として機能させるためのプログラム。
【請求項２１】
コンピュータを、
連続して表示すべき複数の画像を含む画像群に、前記画像群に属する少なくとも１つの画像に対して行うべき画像処理に関する処理情報が対応付けられている場合に、前記画像群に属する第１の画像を、画像処理の行なわれていない状態で表示した後、画像処理を行うべき、前記第１の画像と異なる第２の画像を、画像処理後の状態で表示する表示手段として機能させるためのプログラム。
【発明の詳細な説明】
【技術分野】
【０００１】
本発明は、画像表示システム、画像表示方法及びプログラムに関する。
【背景技術】
【０００２】
従来、扱う画像の高解像度化に伴い、高解像度の元画像と、元画像から生成された低解像度のサムネイル画像をセットにして管理する方法が多く見られるようになった。これにより、サムネイル画像を一覧で表示させることが容易となり、詳細に確認したい場合は、サムネイル画像から元画像を参照する使い方ができるようになった。
そのため、利用者にとっては一覧性がよくなり、必要に応じて詳細な情報を確認できるようになったためにアクセス効率が向上した。更に、作業内容によっては元画像を使わずサムネイル画像を使って作業ができたりする場合もあるため、利便性も高まった。
その反面、一覧表示によって扱う情報やできる作業が増えると、管理や操作が煩雑になってしまい、多数の画像の中から状況や内容を把握するのに手間がかかってしまう問題がある。特許文献１には、この問題に対応する技術として、画像やドキュメントをサムネイルで項目ごとに時系列に並べて表示する技術が開示されている。これにより、ユーザは、サムネイル元データが未読かどうかを判断することができ、元画像の再確認の手間を省くことができる。
【先行技術文献】
【特許文献】
【０００３】
【特許文献１】特開２００８−１９２０４４号公報
【発明の概要】
【発明が解決しようとする課題】
【０００４】
しかしながら、特許文献１の技術においては、サムネイル内の一部が重要である場合には、サムネイルを表示した後に、重要部分を思い出したり判断したりしなければならない。そして、その後に重要部分を表示するための操作が必要となる。また、サムネイルが複数の画像に対応付けられていたり、重要部分が複数個所存在したりする場合、更に複数の判断や操作の手間が必要となる。また、最初から重要部分を表示する方法も考えられるが、この場合、ユーザが全体に対してどの部分を示しているのかを把握できない場合がある。
【０００５】
本発明はこのような問題点に鑑みなされたもので、ユーザによる煩雑な操作を要することなく、表示対象の画像を適切な状態で表示することを目的とする。
【課題を解決するための手段】
【０００６】
そこで、本発明は、画像表示システムであって、表示対象となる画像に、前記画像に対して行うべき画像処理に関する処理情報が対応付けられている場合に、画像処理前の前記画像を表示した後、前記処理情報に対応する画像処理後の前記画像を表示する表示手段を有することを特徴とする。
【発明の効果】
【０００７】
本発明によれば、ユーザによる煩雑な操作を要することなく、表示対象の画像を適切な状態で表示することができる。
【図面の簡単な説明】
【０００８】
【図１】画像表示システムを示す図である。
【図２】クライアント装置のハードウェア構成を示す図である。
【図３】画像表示処理を示すフローチャートである。
【図４】サムネイル画像の表示例を示す図である。
【図５】Ｓ３０３〜Ｓ３０８の処理を説明するための図である。
【図６】Ｓ３１１〜Ｓ３１３の処理を説明するための図である。
【図７】第２の実施形態にかかる画像表示処理を示すフローチャートである。
【図８】画像群の一例を示す図である。
【図９】スライス画像が表示される様子を示す図である。
【図１０】スライス画像が表示される様子を示す図である。
【図１１】第２の実施形態の第１の変更例を説明するための図である。
【図１２】第２の実施形態の第２の変更例を説明するための図である。
【発明を実施するための形態】
【０００９】
以下、本発明の実施形態について図面に基づいて説明する。
（第１の実施形態）
図１は、第１の実施形態に係る画像表示システムを示す図である。画像表示システムは、ネットワーク１０５に接続された、複数のクライアント装置１００と、サーバ装置１０１とを有している。クライアント装置１００は、画像表示装置の一例である。サーバ装置１０１は、表示対象となる画像を記憶、管理し、クライアント装置１００の要求に応じて、クライアント装置１００に画像等の情報を提供する。なお、本実施形態においては、レントゲン撮影により得られた撮影画像を表示対象とする場合を例に説明する。ただし、画像表示システムが表示対象とする画像は、レントゲン撮影により得られた撮影画像に限定されるものではない。
クライアント装置１００は、サーバ装置１０１から画像等の情報を取得する。クライアント装置１００は、画像に対応付けられたサムネイル画像を後述の表示部に表示する。そして、クライアント装置１００は、ユーザからサムネイル画像が選択されると、サムネイル画像に対応付けられている画像を表示する。本実施形態においては、１つのサムネイル画像に１つの画像が対応付けられているものとする。
なお、本実施形態においては、サーバ装置１０１が画像の記憶、管理を行うこととしたが、他の例としては、クライアント装置１００が、画像の記憶管理も行うこととしてもよい。この場合、サーバ装置１０１は不要である。
【００１０】
図２は、クライアント装置１００のハードウェア構成を示す図である。クライアント装置１００は、ＣＰＵ２０１と、メモリ２０２と、記憶装置２０３と、入力部２０４と、表示部２０５と、通信部２０６とを有している。各部はバス２０７により相互に接続されている。ＣＰＵ２０１は、記憶装置２０３に記憶されているプログラム２０８を実行することにより、後述する各種機能を実行する。メモリ２０２は、ＣＰＵ２０１が記憶装置２０３から読み出したプログラムやデータを一時的に記憶する。また、メモリ２０２は、ＣＰＵ２０１が各種のプログラムを実行するための領域としても利用される。
記憶装置２０３は、オペレーティングシステム（ＯＳ）や各種プログラムや制御プログラム、データ等を記憶する。データとしては画像等が挙げられる。プログラムとしては、画像の閲覧時の操作を記録するプログラム等が挙げられる。記憶装置２０３は、例えばＳＳＤやＨＤＤのような大容量記憶装置である。本実施形態においては、記憶装置２０３には、表示対象となる撮影画像が、サムネイル画像に対応付けて記憶されている。そして、ＣＰＵ２０１は、記憶装置２０３に記憶されている複数のサムネイル画像を表示部２０５に一覧表示する。
入力部２０４は、主にユーザからの入力を受け付ける。入力部２０４は例えば、画像の表示指示、操作指示等の入力を受け付ける。表示部２０５は、各種情報を表示する。表示部２０５は例えば、画像や、入力部２０４が受け付けた情報、ＣＰＵ２０１により実行されたプログラムの実行結果等を表示する。通信部２０６は、ネットワーク１０５に接続し、他の装置との通信を行う。通信部２０６は、例えば、サーバ装置１０１から画像を受信したり、サーバ装置１０１に画像要求を送信したりする。なお、クライアント装置１００に画像が記憶されている場合には、クライアント装置１００は、通信部２０６を備えなくともよい。また、入力部２０４と表示部２０５とは、タッチパネルとして一体に設けられていてもよい。
【００１１】
図３は、クライアント装置１００による、画像表示処理を示すフローチャートである。クライアント装置１００は、プログラム２０８に従い、画像表示処理を実行する。画像表示処理の前提として、表示部２０５には、画像一覧が表示されているものとする。図４（ａ）は、画像一覧を示す図である。画像一覧４００には、複数のサムネイル画像４０１〜４０９が表示されている。ここで、サムネイル画像は、縮小画像の一例である。
Ｓ３０１において、クライアント装置１００のＣＰＵ２０１は、画像一覧４００において一覧表示された複数のサムネイル画像の中から、表示対象となるサムネイル画像の選択指示を受け付けるまで待機する。ＣＰＵ２０１は、例えば、サムネイル画像上にマウスカーソルを移動する、サムネイル画像をクリックする等のユーザ操作によりサムネイル画像が選択された場合に、入力部２０４を介して、選択指示を受け付ける。また、他の例としては、ＣＰＵ２０１は、タッチパネルに対するタップや所定時間継続するタッチ等のユーザ操作によりサムネイル画像が選択された場合に、入力部２０４を介して、選択指示を受け付けてもよい。
ＣＰＵ２０１は、選択指示を受け付けると（Ｓ３０１でＹｅｓ）、処理をＳ３０２へ進める。Ｓ３０２において、ＣＰＵ２０１は、記憶装置２０３において、選択指示に係るサムネイル画像に対応する撮影画像に処理情報が対応付けられているか否かを確認する。なお、処理情報は、撮影画像に対して行うべき画像処理に関する情報である。具体的には、処理情報は、撮影画像に対して行うべき画像処理の内容を示す情報である。処理情報は、後述のＳ３０９の処理において記憶装置２０３に記録されるものであり、詳細については後述する。ＣＰＵ２０１は、撮影画像に対し処理情報が対応付けられている場合には（Ｓ３０２でＹｅｓ）、処理をＳ３１１へ進める。ＣＰＵ２０１は、撮影画像に対し処理情報が対応付けられていない場合には（Ｓ３０２でＮｏ）、処理をＳ３０３へ進める。
【００１２】
Ｓ３０３において、ＣＰＵ２０１は、選択指示に係るサムネイル画像を拡大して、ポップアップ表示する。例えば、図４（ａ）に示すサムネイル画像４０４が選択された場合には、ＣＰＵ２０１は、図４（ｂ）に示すように、サムネイル画像４０４に対応する拡大サムネイル画像４１０を表示する。拡大サムネイル画像４１０は、サムネイル画像４０４と等しい表示範囲の画像を、サムネイル画像４０４に比べて大きいサイズで表示したものである。
次に、Ｓ３０４において、ＣＰＵ２０１は、表示指示を受け付けたか否かを確認する。ここで、表示指示は、サムネイル画像に対応する撮影画像の表示を指示する情報である。ＣＰＵ２０１は、例えば、図４（ｂ）に示す拡大サムネイル画像４１０のクリック等のユーザ操作が行われた場合に、表示指示を受け付ける。ＣＰＵ２０１はまた、タッチパネルにおいては、拡大サムネイル画像４１０に対するタップ等のユーザ操作が行われた場合に、表示指示を受け付ける。
また、ＣＰＵ２０１は、図４（ａ）等に示すように、一覧表示中の通常サイズのサムネイル画像４０１〜４０９へのダブルクリック等、サムネイル画像の選択指示のためのユーザ操作と異なるユーザ操作が行われた場合に、撮影画像の表示指示を受け付ける。
ＣＰＵ２０１は、表示指示を受け付けた場合に（Ｓ３０４でＹｅｓ）、処理をＳ３０５へ進める。ＣＰＵ２０１は、表示指示を受け付けなかった場合には（Ｓ３０４でＮｏ）、画像表示処理を終了する。
【００１３】
次に、Ｓ３０５において、ＣＰＵ２０１は、表示指示に係る撮影画像を表示する。図４（ｃ）は、撮影画像４２０の表示例を示す図である。次に、Ｓ３０６において、ＣＰＵ２０１は、表示部２０５に表示されている、サムネイル画像に対応する撮影画像に対し、入力部２０４を介して、画像処理の実行指示を受け付けたか否かを確認する。ここで、画像処理は、例えば、撮影画像の一部の領域を拡大して表示する、すなわち一部の領域の拡大画像を生成する処理である。なお、画像処理は、撮影画像に基づき、表示内容を変更するような処理であればよく、画像処理の種類は、実施形態に限定されるものではない。画像処理としては、輝度、明度、深度等、表示に関するパラメータを変更する処理が挙げられる。
ＣＰＵ２０１は、実行指示を受け付けた場合には（Ｓ３０６でＹｅｓ）、処理をＳ３０７へ進める。ＣＰＵ２０１は、実行指示を受け付けなかった場合には（Ｓ３０６でＮｏ）、処理をＳ３１０へ進める。ここで、Ｓ３０６の処理は、実行指示を受け付ける受付処理の一例である。
【００１４】
Ｓ３０７において、ＣＰＵ２０１は、実行指示に従い、表示中の撮影画像に対し画像処理を行う。次に、Ｓ３０８において、ＣＰＵ２０１は、画像処理が行われた撮影画像、すなわち画像処理後の撮影画像を表示部２０５に表示する。次に、Ｓ３０９において、ＣＰＵ２０１は、Ｓ３０７において実行した画像処理の内容を示す処理情報を表示対象の撮影画像及び対応するサムネイル画像に対応付けて記憶装置２０３に記録する。処理情報は、Ｓ３０７において実行された画像処理を再度行うために必要な情報である。このように、ＣＰＵ２０１は、実際に行われた画像処理の内容を、画像に対して行うべき画像処理の内容を示す処理情報として記録する。ここで、Ｓ３０９の処理は、処理情報管理処理の一例である。
図５は、Ｓ３０５〜Ｓ３０８の処理を説明するための図である。図５（ａ）に示すように、上半身のレントゲンの撮影画像５００が表示された状態において（Ｓ３０５）、医師が図５（ｂ）に示すように、肋骨の部分領域５１０を注目領域として選択したとする。この場合、ＣＰＵ２０１は、部分領域５１０を拡大表示する画像処理の実行指示を受け付ける（Ｓ３０６）。そして、ＣＰＵ２０１は、部分領域５１０の拡大画像５２０を生成する画像処理を行い（Ｓ３０７）、図５（ｃ）に示すように、生成した拡大画像５２０を表示部２０５に表示する（Ｓ３０８）。ここで、拡大画像５２０は、肋骨の骨折を示す画像である。
図５を参照しつつ説明したような拡大表示に係る画像処理の場合には、処理情報は、拡大処理を示す情報、拡大対象となる領域の位置及びサイズを示す情報を含む。また、他の例としては、処理情報は、拡大処理を示す情報と、拡大対象の中心位置及び拡大率を示す情報を含んでもよい。
【００１５】
画像処理後の画像には、ユーザが注目すべき注目領域（図５の例においては骨折箇所）が含まれていると考えられる。すなわち、画像処理後の画像は、ユーザが注目領域を確認し易い状態で表示する画像であると考えられる。そこで、本実施形態においては、クライアント装置１００は、再度注目領域を表示すべく、注目領域をするための画像処理に関する情報である処理情報を記録する。
なお、他の例としては、クライアント装置１００は、単に表示されただけでなく、その表示時間が一定時間を超える場合に、画像処理の内容を示す処理情報を記憶装置２０３に記録することとしてもよい。これにより、クライアント装置１００は、一定時間以上継続して表示された領域のみを、注目領域とみなし、対応する処理情報を記録することができる。
【００１６】
図３に戻り、Ｓ３０９において処理情報が記録された後、Ｓ３１０において、ＣＰＵ２０１は、ユーザから終了指示を受け付けた場合には（Ｓ３１０でＹｅｓ）、画像表示処理を終了する。ＣＰＵ２０１は、ユーザから終了指示を受け付けなかった場合には（Ｓ３１０でＮｏ）、処理をＳ３０６へ進める。
【００１７】
一方、Ｓ３１１において、ＣＰＵ２０１は、拡大表示指示に係るサムネイル画像を表示部２０５に拡大表示する。次に、Ｓ３１２において、ＣＰＵ２０１は、拡大サムネイル画像を表示した後、一定時間が経過するまで待機する。そして、ＣＰＵ２０１は、一定時間経過後に（Ｓ３１２でＹｅｓ）、処理をＳ３１３へ進める。Ｓ３１３において、ＣＰＵ２０１は、拡大サムネイル画像に対応する撮影画像に対応付けられている処理情報に基づいて、拡大サムネイル画像に対する画像処理を行う（画像処理）。そして、ＣＰＵ２０１は、拡大サムネイル画像に替えて、画像処理後の拡大サムネイル画像を表示部２０５に表示し、その後処理をＳ３０４へ進める。
このように、Ｓ３１３において、ＣＰＵ２０１は、処理情報に基づく画像処理後の拡大サムネイル画像を表示する。これに対し、Ｓ３０３及びＳ３１１においては、ＣＰＵ２０１は、画像処理が行われていない拡大サムネイル画像を表示する。ここで、Ｓ３１１〜Ｓ３１３の処理は、画像処理の行なわれていない画像を表示した後、処理情報に対応する画像処理後の画像を表示する表示処理の一例である。
なお、他の例としては、画像表示システムは、処理情報に基づいて、サムネイル画像に対応する撮影画像に対する画像処理を行い、画像処理後の撮影画像からサムネイル画像を生成してもよい。
図６は、Ｓ３１１〜Ｓ３１３の処理を説明するための図である。このように、ＣＰＵ２０１は、まず画像処理の行なわれていない画像として、上半身のレントゲン画像の拡大サムネイル画像４１０を表示する。そして、ＣＰＵ２０１は、拡大サムネイル画像４１０の表示後一定時間Ｔが経過すると、表示内容を画像処理後の拡大サムネイル画像６００に自動的に切り替える。このとき、ＣＰＵ２０１は、さらに、拡大サムネイル画像が画像処理前の状態から画像処理後の状態に徐々に変化するようなアニメーションを表示してもよい。例えば、画像処理が撮影画像の一部の領域を抽出し、抽出領域を拡大する処理であるとする。この場合、ＣＰＵ２０１は、拡大サムネイル画像が表示されていた領域に抽出領域が表示されるまで、拡大サムネイル画像が徐々に拡大していくようなズームアニメーションを表示してもよい。
【００１８】
これにより、クライアント装置１００は、ユーザにより閲覧され、処理情報が対応付けられたサムネイル画像に対しては、次回以降の表示時には、一旦画像処理前の画像を表示した後に、注目領域を表示するような画像処理後の画像を表示することができる。したがって、ユーザは、面倒な操作を行うことなく、希望する領域を希望の表示態様で視認することができる。
さらに、画像処理後の画像の表示前に、対応する画像処理前の撮影画像を表示することとしたのは、画像処理後の画像と画像処理前の画像との関係をユーザに把握させるためである。図５及び図６を参照しつつ説明したように、画像処理が、上半身全体等の全体画像の一部の領域を拡大表示するような処理であるとする。この場合、拡大画像のみが表示されたのでは、ユーザは、画像処理後の拡大画像と画像処理前の全体画像との関係を把握するのは難しい。図６に示す例においては、拡大サムネイル画像６００のみからは骨折部位が、何番目の肋骨であるかをユーザが把握するのは困難である。これに対し、初めに全体画像を表示することにより、ユーザは、画像処理前後の画像の関係を容易に把握することができる。
【００１９】
以上のように、第１の実施形態にかかる画像表示システムは、表示対象の画像中にユーザが注目する注目領域が存在する場合に、ユーザによる煩雑な操作を要することなく、注目領域をユーザが確認し易い状態で表示することができる。さらに、画像表示システムは、画像処理前の画像を表示した後に、注目領域が確認し易い状態に画像処理が行われた後の画像を表示することにより、ユーザに画像処理前後の画像の関係を把握させることができる。すなわち、画像表示システムは、ユーザによる煩雑な操作を要することなく、表示対象の画像を適切な状態で表示することができる。
【００２０】
なお、第１の実施形態に係る画像表示システムの第１の変更例としては、処理情報は、画像処理後の画像そのものであってもよい。この場合には、Ｓ３１３において、ＣＰＵ２０１は、処理情報として撮影画像に対応付けて記憶されている画像処理後の画像を表示すればよい。
【００２１】
また、第２の変更例としては、クライアント装置１００は、図３に示すＳ３０２の判断に加え、画像処理前後の画像の変化量が大きい場合にＳ３１１へ進むこととしてもよい。具体的には、クライアント装置１００は、Ｓ３０２において処理情報があると判断し、かつ変化量が閾値以上である場合に、処理をＳ３１１へ進め、変化量が閾値未満である場合には、処理をＳ３０３へ進めることとしてもよい。ここで、変化量は、画像処理前後の画像における表示領域の縮尺や表示位置の変化量であり、閾値は予め記憶装置２０３等に格納されているものとする。これは、変化の程度が小さい場合には、処理後画像を表示する前に、未処理の画像を表示しなくとも、ユーザが画像処理前後の画像の関係を把握することができると考えられるためである。
【００２２】
また、第３の変更例としては、ＣＰＵ２０１は、一旦未処理の撮影画像を表示した後に画像処理後の撮影画像を表示すればよく、未処理の撮影画像から画像処理後の撮影画像に表示を切り替えるタイミングは、実施形態に限定されるものではない。例えば、ＣＰＵ２０１は、未処理の撮影画像を表示した後、ユーザから切替指示を受け付けた（受付処理）タイミングにおいて、画像処理後の撮影画像を表示することとしてもよい。
【００２３】
また、第４の変更例としては、ＣＰＵ２０１は、表示対象の画像が表示された際に記録されたメモやモダリティ等の情報から、注目領域を特定し、注目領域を表示するための画像処理を特定し、処理情報を記録してもよい。
また、第５の変更例としては、ＣＰＵ２０１は、Ｓ３０３及びＳ３１１のうち少なくとも一方において、拡大指示に係るサムネイル画像を拡大表示しなくともよい。Ｓ３１１においてサムネイル画像を拡大表示しない場合には、ＣＰＵ２０１は、Ｓ３１３においては、一覧表示における通常サイズのサムネイル画像が表示されている領域に、画像処理後のサムネイル画像を通常サイズで表示すればよい。
また、第６の変更例としては、ＣＰＵ２０１は、画像表示処理に先立ち表示する画像一覧４００に、サムネイル画像に替えて撮影画像を表示してもよい。このように、画像表示システムが処理対象とする画像の種類は実施形態に限定されるものではない。また、画像一覧３００に撮影画像を表示する場合には、Ｓ３０３及びＳ３１１において、拡大指示にかかる撮影画像を表示し、Ｓ３１３において、画像処理後の撮影画像を表示すればよい。
【００２４】
（第２の実施形態）
第２の実施形態にかかる画像表示システムは、単独の画像だけでなく、画像群を表示する。ここで、画像群は、連続して表示すべき複数の静止画像を含む。画像群は、例えば、ＣＴやＭＲＩ等の撮影により得られた複数の画像を含む。他の例としては、画像群は、複数のフレームを有する動画像であってもよい。
第２の実施形態においては、クライアント装置１００は、サーバ装置１０１から単独の画像だけでなく、画像群を取得する。そして、クライアント装置１００は、単独の画像に対しては、１つの画像に対し１つのサムネイル画像を対応付ける。また、クライアント装置１００は、画像群に対しては、画像群中の各画像に対し１つのサムネイル画像を対応付ける。そして、クライアント装置１００は、画像一覧において、画像群に対しては、代表のサムネイル画像を表示する。本実施形態においては、クライアント装置１００は、画像群の１ページ目の画像に対応するサムネイル画像を代表のサムネイル画像として表示する。複数のサムネイル画像を表示部２０５に表示する。そして、クライアント装置１００は、ユーザからサムネイル画像が選択されると、サムネイル画像に対応付けられている画像又は画像群を表示する。クライアント装置１００は、表示対象が画像群の場合には、画像群に属する複数の画像を表示順に従い順次表示する。以下、第２の実施形態にかかる画像表示システムの、第１の実施形態にかかる画像表示システムと異なる点について説明する。
【００２５】
図７は、第２の実施形態にかかるクライアント装置１００による、画像表示処理を示すフローチャートである。Ｓ７０１において、クライアント装置１００のＣＰＵ２０１は、選択指示を受け付けるまで待機する。ＣＰＵ２０１は、選択指示を受け付けると（Ｓ７０１でＹｅｓ）、処理をＳ７０２へ進める。Ｓ７０２において、ＣＰＵ２０１は、選択指示に係る表示対象の画像が単独の画像か画像群かを確認する。ＣＰＵ２０１は、表示対象の画像が画像群である場合には（Ｓ７０２でＹｅｓ）、処理をＳ７０３へ進める。ＣＰＵ２０１は、表示対象の画像が単独の画像である場合には（Ｓ７０２でＮｏ）、処理を図３に示すＳ３０２へ進め、Ｓ３０２以降の処理を行う。
Ｓ７０３において、ＣＰＵ２０１は、記憶装置２０３において、表示対象の画像群に処理情報が対応付けられているか否かを確認する。なお、画像群の処理情報は、後述のＳ７１０の処理において記憶装置２０３に記録されるものである。画像群の処理情報は、画像群に含まれる撮影画像に対して行うべき画像処理に関する情報である。具体的には、画像群の処理情報は、撮影画像と、撮影画像に対して行うべき画像処理とを対応付けた情報を含んでいる。なお、処理情報は、複数の撮影画像それぞれに対し異なる画像処理を対応付けた複数の情報を含む場合もある。画像群の処理情報はさらに、複数の画像の表示順等の情報も含んでいる。ＣＰＵ２０１は、画像群に対し処理情報が対応付けられていない場合には（Ｓ７０３でＮｏ）、処理をＳ７０４へ進める。ＣＰＵ２０１は、画像群に対し処理情報が対応付けられている場合には（Ｓ７０３でＹｅｓ）、処理をＳ７１５へ進める。
【００２６】
Ｓ７０４において、ＣＰＵ２０１は、表示対象の画像群の１ページ目のサムネイル画像を拡大して、ポップアップ表示する。すなわち、Ｓ７０４においては、表示対象の画像群に対し処理情報が対応付けられていないので、ＣＰＵ２０１は、画像処理が行われていない、未処理のサムネイル画像を表示する。次に、Ｓ７０５において、ＣＰＵ２０１は、サムネイル画像に対応する撮影画像の表示指示を受け付けたか否かを確認する。ＣＰＵ２０１は、表示指示を受け付けた場合に（Ｓ７０５でＹｅｓ）、処理をＳ７０６へ進める。ＣＰＵ２０１は、表示指示を受け付けなかった場合には（Ｓ７０５でＮｏ）、画像表示処理を終了する。
次に、Ｓ７０６において、ＣＰＵ２０１は、表示対象の画像群の１ページ目の撮影画像を表示する。すなわち、Ｓ７０６においては、表示対象の画像群に対し処理情報が対応付けられていないので、ＣＰＵ２０１は、画像処理が行われていない、未処理の撮影画像を表示する。
【００２７】
次に、Ｓ７０７において、ＣＰＵ２０１は、処理時点において表示部２０５に表示されている撮影画像に対し、入力部２０４を介して、画像処理の実行指示を受け付けたか否かを確認する。ＣＰＵ２０１は、実行指示を受け付けた場合には（Ｓ７０７でＹｅｓ）、処理をＳ７０８へ進める。ＣＰＵ２０１は、実行指示を受け付けなかった場合には（Ｓ７０７でＮｏ）、処理をＳ７１１へ進める。ここで、Ｓ７０７の処理は、実行指示を受け付ける受付処理の一例である。
Ｓ７０８において、ＣＰＵ２０１は、実行指示に従い、表示中の撮影画像に対し画像処理を行う。次に、Ｓ７０８において、ＣＰＵ２０１は、画像処理が行われた撮影画像、すなわち画像処理後の撮影画像を表示部２０５に表示する。次に、Ｓ７１０において、ＣＰＵ２０１は、Ｓ７０８において実行した画像処理の内容、表示中の撮影画像及び対応するサムネイル画像を対応付けた情報を含む処理情報を記憶装置２０３に記録する（処理情報管理処理）。次に、Ｓ７１１において、ＣＰＵ２０１は、ページ送りが発生したか否かを確認する。ＣＰＵ２０１は、ページ送りが発生した場合には（Ｓ７１１でＹｅｓ）、処理をＳ７１２へ進める。ＣＰＵ２０１は、ページ送りが発生していない場合には（Ｓ７１１でＮｏ）、処理をＳ７０７へ進める。
【００２８】
Ｓ７１２において、ＣＰＵ２０１は、表示中のページが画像群の最終ページか否かを確認する。ＣＰＵ２０１は、表示中のページが最終ページの場合には（Ｓ７１２でＹｅｓ）、画像表示処理を終了する。ＣＰＵ２０１は、表示中のページが最終ページでない場合には（Ｓ７１２でＮｏ）、処理をＳ７１３へ進める。Ｓ７１３において、ＣＰＵ２０１は、終了指示を受け付けたか否かを確認する。ＣＰＵ２０１は、終了指示を受け付けた場合には（Ｓ７１３でＹｅｓ）、画像表示処理を終了する。ＣＰＵ２０１は、終了指示を受け付けていない場合には（Ｓ７１３でＮｏ）、処理をＳ７１４へ進める。
Ｓ７１４において、ＣＰＵ２０１は、次ページの撮影画像、すなわち画像処理の行なわれていない撮影画像を表示した後、処理をＳ７０７へ進める。ここで、次ページの撮影画像とは、Ｓ７０６において表示された撮影画像、または直前に実行されたＳ７１４の処理において表示された撮影画像の次の表示順の撮影画像である。
なお、Ｓ７０６〜Ｓ７１４の処理において、異なるページ（撮影画像）に対し、それぞれ画像処理が行われた場合には、各画像処理に対応する２以上の情報を含む処理情報が記憶装置２０３に記録されることとなる。
【００２９】
一方、Ｓ７１５において、ＣＰＵ２０１は、表示対象の画像群の１ページ目のサムネイル画像を拡大して、ポップアップ表示する。次に、Ｓ７１６において、ＣＰＵ２０１は、処理情報において画像処理が対応付けられている撮影画像に対応するサムネイル画像に対し、画像処理を行う。ＣＰＵ２０１はさらに、画像処理が対応付けられているサムネイル画像から既定ページ前までのサムネイル画像に対しても画像処理を行う。ここで、既定ページ数をｍページ、画像処理が対応付けられているサムネイル画像をＸページとする。ＣＰＵ２０１は、「Ｘ−ｍ」ページから「Ｘ−１」ページまでの間のサムネイル画像に対し、未処理の「Ｘ−（ｍ＋１）」ページからＸページまで、表示内容が徐々に変化するような画像処理を行う。ここで、既定ページ数ｍは、例えば記憶装置２０３等に予め設定されているものとする。
【００３０】
ここで、「Ｘ−ｍ」ページから「Ｘ−１」ページまでの間のサムネイル画像に対して行う画像処理は、処理情報に示される、Ｘページのサムネイル画像に対して行う画像処理と等しい種類の処理で、処理の程度の異なる処理である。
例えば、処理情報において、Ｘページのサムネイル画像に対するＹ倍の拡大処理が対応付けられているとする。この場合、ＣＰＵ２０１は、「Ｘ−ｍ」ページのサムネイル画像に対し「１／Ｙ」倍する画像処理を行い、「Ｘ−（ｍ−１）」ページの撮影画像に対し、「２／Ｙ」倍する画像処理を行う。同様に、ＣＰＵ２０１は、「Ｘ−（ｍ−２）」ページから「Ｘ−１」ページのサムネイル画像に対し、Ｘページまで徐々に画像が拡大していくように、各サムネイル画像に対し拡大率の異なる拡大処理（画像処理）を行う。これにより、画像処理の行なわれていない「Ｘ−（ｍ＋１）」ページから画像処理が行われた「Ｘ」ページにかけてシームレスな表示を実現することができる。
なお、Ｘページがｍページよりも前のページである場合には、ＣＰＵ２０１は、２ページから「Ｘ−１」ページのサムネイル画像に対し、Ｘページまで徐々に画像が拡大していくように、各画像に対し異なる画像処理を行うこととする。
【００３１】
次に、Ｓ７１７において、ＣＰＵ２０１は、ページ送りが発生したか否かを確認する。ＣＰＵ２０１は、ページ送りが発生していない場合には（Ｓ７１７でＮｏ）、ページ送りが発生するまで待機し、ページ送りが発生した場合には（Ｓ７１７でＹｅｓ）、処理をＳ７１８へ進める。
Ｓ７１８において、ＣＰＵ２０１は、表示中のページが画像群の最終ページか否かを確認する。ＣＰＵ２０１は、表示中のページが最終ページの場合には（Ｓ７１８でＹｅｓ）、画像表示処理を終了する。ＣＰＵ２０１は、表示中のページが最終ページでない場合には（Ｓ７１８でＮｏ）、処理をＳ７１９へ進める。Ｓ７１９において、ＣＰＵ２０１は、終了指示を受け付けたか否かを確認する。ＣＰＵ２０１は、終了指示を受け付けた場合には（Ｓ７１９でＹｅｓ）、画像表示処理を終了する。ＣＰＵ２０１は、終了指示を受け付けていない場合には（Ｓ７１９でＮｏ）、処理をＳ７２０へ進める。
【００３２】
Ｓ７２０において、ＣＰＵ２０１は、次ページに対する画像処理後のサムネイル画像が存在するか否かを確認する。具体的には、ＣＰＵ２０１は、Ｓ７１６において、次ページに対応するサムネイル画像に対する画像処理が行われ、画像処理後のサムネイル画像が存在する場合に、画像処理後のサムネイル画像が存在すると判断する。ＣＰＵ２０１は、画像処理後のサムネイル画像が存在する場合に（Ｓ７２０でＹｅｓ）、処理をＳ７２１へ進める。ＣＰＵ２０１は、画像処理後のサムネイル画像が存在しない場合に（Ｓ７２０でＮｏ）、処理をＳ７２２へ進める。
Ｓ７２１において、ＣＰＵ２０１は、次ページの画像処理後のサムネイル画像を表示し、処理をＳ７１７へ進める。また、Ｓ７２２において、ＣＰＵ２０１は、次ページのサムネイル画像、すなわち未処理のサムネイル画像を表示し、処理をＳ７１７へ進める。ここで、Ｓ７１５及びＳ７２１の処理は、第１の画像を画像処理の行なわれていない状態で表示した後、画像処理を行うべき、第１の画像と異なる第２の画像を、画像処理後の状態で表示する表示処理の一例である。
【００３３】
このように、ＣＰＵ２０１は、Ｓ７１６において、「Ｘ−ｍ」ページから「Ｘ−１」ページのサムネイル画像に対し、画像処理後のＸページのサムネイル画像まで、徐々に画像が変化するように画像処理を行う。そして、ＣＰＵ２０１は、Ｓ７２１において、画像処理後のサムネイル画像を表示する。これにより、画像処理前のサムネイル画像から画像処理後のサムネイル画像までシームレスに複数の画像を表示することができる。
【００３４】
なお、処理情報において、１ページ目のサムネイル画像に対し画像処理が対応付けられている場合には、ＣＰＵ２０１は、第１の実施形態にかかる画像表示処理（図３参照）と同様の処理を行う。すなわち、ＣＰＵ２０１は、画像処理の行なわれていない１ページ目の撮影画像を一定時間表示した後、画像処理後の1ページ目の撮影画像を表示する。
【００３５】
図８は、画像群の一例を示す図である。画像群８００は、人物Ａの上半身をＣＴやＭＲＩ等で撮影した複数の画像を含んでいる。画像群８００は、人物Ａの全幅８１０を撮影対象とし、頭部から腹部に向かう方向に走査し臓と胃を含む範囲内の各位置８０１において撮影された複数のスライス画像（撮影画像）を含んでいる。なお、画像群８００の各スライス画像の表示順は、各スライス画像の撮影順であるものとし、ＣＰＵ２０１は、Ｓ７１１のページ送りに従い、頭部側から腹部に向かう方向に、各スライス画像を順次表示する。そして、ユーザとしての医師は、順次表示されるスライス画像を見ながら、患部等を確認する。ここでは、心臓と胃の状態を確認する場合を例に説明する。
【００３６】
図９及び図１０は、スライス画像が表示される様子を示す図である。図９（ａ）のスライス画像９００は、図９（ｂ）に示す位置９１０の撮影画像である。スライス画像９００は、心臓の画像９０１を含んでいる。スライス画像９００において、心臓の画像９０１を含む範囲９２０が医師により選択されたとする。この場合、ＣＰＵ２０１は、医師による選択操作に対応した拡大処理の実行指示を受け付ける。そして、ＣＰＵ２０１は、スライス画像９００の範囲９２０を拡大表示する画像処理を行い、図９（ａ）に示すように、拡大処理後のスライス画像９３０を表示する。これにより、注目領域とされる心臓の画像９０１が拡大表示される。
その後は、拡大表示された範囲を表示範囲として、表示順に従い次ページ以降のスライス画像が表示される。図１０（ａ）のスライス画像１０００は、図１０（ｂ）に示す位置１０１０の撮影画像である。スライス画像１０００は、胃の画像１００１を含んでいる。図９において説明したように、医師によりスライス画像９００の表示範囲が変更されると、変更後の表示範囲を保ちつつ、スライス画像のページが切り替えられる。すなわち、スライス画像９００よりも後に表示されるスライス画像１０００は、図９（ｂ）に示すスライス画像９３０と等しい表示範囲の画像である。このため、スライス画像１０００には、胃の一部の画像しか含まれていない。
【００３７】
そこで、医師は、胃の状態を確認すべく、スライス画像１０００の表示範囲を、図１０（ｂ）に示す範囲１０２０に変更する操作を行う。これに対応し、ＣＰＵ２０１は、表示範囲の変更にかかる画像処理の実行指示を受け付ける。そして、ＣＰＵ２０１は、スライス画像１０００の表示範囲を変更する画像処理を行い、図１０（ｂ）に示すように、表示範囲を範囲９２０から範囲１０２０に変更する。これにより、図１０（ａ）に示す、注目領域とされる胃の全体を含むスライス画像１０３０が表示される。
このように、複数の注目領域に対し、画像処理が実行された場合には、ＣＰＵ２０１は、Ｓ７１０において、位置９１０のスライス画像及び位置１０１０のスライス画像それぞれと画像処理とを対応付けた情報を含む処理情報を記録する。なお、本例において各スライド画像に対応付けられる画像処理は、いずれも拡大処理であるが、拡大する範囲が異なる。
【００３８】
一方、以上の処理に対応して記録された処理情報に従い画像群８００を表示する際には、ＣＰＵ２０１は、１ページ目の全幅分のスライス画像を表示した後、徐々に画像を拡大し、位置９１０の、拡大後のスライス画像９３０を表示する。その後、ＣＰＵ２０１は、再度位置９１０より後の表示順の、全幅分のスライス画像を表示し、その後、徐々に画像を拡大し、位置１０１０の、拡大後のスライス画像１０３０を表示する。
なお、他の例としては、ＣＰＵ２０１は、位置９１０の、拡大後のスライス画像９３０を表示した後、位置１０１０の、拡大後のスライス画像１０３０まで、位置９１０以降のスライス画像を、拡大表示する部分領域の範囲を徐々にずらしながら表示してもよい。
なお、第２の実施形態にかかる画像表示システムのこれ以外の構成及び処理は、第１の実施形態にかかる画像処理システムの構成及び処理と同様である。
【００３９】
以上のように、第２の実施形態にかかる画像表示システムは、複数の画像を含む画像群を表示対象とする場合には、画像処理の行なわれていない第１の画像を表示した後に、画像処理が行われた第２の画像を表示する。したがって、ユーザは、煩雑な操作を要することなく、表示された画像処理後の画像から、必要な情報を確認することができる。
【００４０】
第２の実施形態にかかる画像表示システムの第１の変更例について説明する。処理情報において、複数の画像に対し異なる画像処理が対応付けられているとする。この場合、クライアント装置１００は、各画像処理により表示対象とされた各注目領域が表示されるような共通の画像処理を決定する（決定処理）。そして、クライアント装置１００は、決定した画像処理を、処理情報において画像処理が対応付けられている画像に対して行うこととしてもよい。
例えば、図９及び図１０を参照しつつ説明したように、心臓を含む範囲９２０と胃を含む範囲１０２０が選択され、これらに対応する処理情報が記憶されているとする。この場合、クライアント装置１００は、図１１に示すように、１ページ目の全幅のスライド画像を表示した後、位置９１０以降のスライド画像を、心臓を含む範囲９２０と胃を含む範囲１０２０両方を含む範囲１１００を表示範囲として表示する。すなわち、この場合には、クライアント装置１００は、画像処理が対応付けられている画像だけでなく、位置９１０以降の画像すべてに対し、範囲１１００を表示範囲とするような画像処理を行う。
【００４１】
また、第２の変更例としては、処理情報において、複数の画像に対し異なる画像処理が対応付けられている場合に、画像処理毎に画像群を分割してもよい。例えば、図１２に示すように、１つの画像群に含まれるスライス画像の表示時に心臓の範囲１２０１、胃の範囲１２０２、腎臓の範囲１２０３、１２０４がそれぞれ拡大表示されたとする。この場合、クライアント装置１００は、１つの画像群を、拡大表示された注目領域単位で、４つの画像群に分割する。
【００４２】
また、第３の変更例としては、クライアント装置１００が、処理情報に基づいて画像処理を行うタイミングは、実施形態に限定されるものではない。例えば、クライアント装置１００は、ページ送りが発生する度に、表示対象となるページの撮影画像に対する画像処理を行ってもよい。
【００４３】
＜その他の実施形態＞
以上、実施形態例を詳述したが、本発明は例えば、システム、装置、方法、プログラム若しくは記録媒体(記憶媒体)等としての実施態様をとることが可能である。具体的には、複数の機器（例えば、ホストコンピュータ、インタフェース機器、撮像装置、Ｗｅｂアプリケーション等）から構成されるシステムに適用しても良いし、また、一つの機器からなる装置に適用しても良い。
また、本発明の目的は、以下のようにすることによって達成されることはいうまでもない。即ち、前述した実施形態の機能を実現するソフトウェアのプログラムコード（コンピュータプログラム）を記録した記録媒体（または記憶媒体）を、システムあるいは装置に供給する。係る記憶媒体は言うまでもなく、コンピュータ読み取り可能な記憶媒体である。そして、そのシステムあるいは装置のコンピュータ（またはＣＰＵやＭＰＵ）が記録媒体に格納されたプログラムコードを読み出し実行する。この場合、記録媒体から読み出されたプログラムコード自体が前述した実施形態の機能を実現することになり、そのプログラムコードを記録した記録媒体は本発明を構成することになる。
【００４４】
以上、上述した各実施形態によれば、ユーザによる煩雑な操作を要することなく、表示対象の画像を適切な状態で表示することができる。
【００４５】
以上、本発明の好ましい実施形態について詳述したが、本発明は係る特定の実施形態に限定されるものではなく、特許請求の範囲に記載された本発明の要旨の範囲内において、種々の変形・変更が可能である。
【符号の説明】
【００４６】
１００  クライアント装置、１０１  サーバ装置、２０１  ＣＰＵ、２０２  メモリ
【図１】
2015210491.tif 000003
【図２】
2015210491.tif 000004
【図３】
2015210491.tif 000005
【図４】
2015210491.tif 000006
【図５】
2015210491.tif 000007
【図６】
2015210491.tif 000008
【図７】
2015210491.tif 000009
【図８】
2015210491.tif 000010
【図９】
2015210491.tif 000011
【図１０】
2015210491.tif 000012
【図１１】
2015210491.tif 000013
【図１２】
2015210491.tif 000014